(57)【要約】【課題】正規ラウンドのゴルフのパットにおいて使用可能な、球をプレーヤーが意図する方向に正確に転がすことができる照準器具とその使用方法を提供する。【解決手段】ゴルフ手袋４の甲に様々な手段で取着される照準器具であって照準紐１、自動巻き取り手段７、摘み３を主な構成とし、プレーヤーは照準器具を取着していない側の手で摘み３を持って照準紐１をたるみ無いように引き出し、プレーヤーが意図するパットの線１５ａと照準紐１が重なり合って見えるように構え、パットの線上あるいは線の付近にある芝の変色個所やキズ個所を目印として確認した後、手で持っていた摘み３を離し自動巻き取り手段７に照準紐１が格納された後、目印に向かってストロークを行うものであるため、財団法人日本ゴルフ協会のゴルフ規則に則り正規ラウンドで使用可能である。【選択図】  図７
2005058691.tif 000002
【特許請求の範囲】
【請求項１】
一本の伸縮自在の照準紐の一端に、支持体である手袋あるいはリストバンドに対して着脱自在の取着手段が設けられ、他端には摘みが設けられていることを特徴とするパットの照準器具。
【請求項２】
照準紐の伸縮自在の手段が自動巻き取り手段であり、この自動巻き取り手段には支持体に対して着脱自在の取着手段が設けられることを特徴とする請求項１に記載のパットの照準器具。
【請求項３】
支持体に対する取着手段がダブルクリップであり、レバー頭部に自動巻き取り手段が取着されていることを特徴とする請求項２に記載のパットの照準器具。
【請求項４】
支持体に対する取着手段がマジックテープであることを特徴とする請求項１、請求項２に記載のパットの照準器具。
【請求項５】
支持体に対する取着手段として、支持体内部に自動巻き取り手段格納袋が形成されることにより支持体と一体に形成されることを特徴とする請求項２に記載のパットの照準器具。
【請求項６】
着脱自在の取着手段が設けられるという部分を、固着し取り外し不可と置き換える請求項１、請求項２に記載のパットの照準器具。
【請求項７】
摘みは、少なくとも表面が衝撃吸収材で被覆されていることを特徴とする請求項１から請求項６に記載のパットの照準器具。
【請求項８】
請求項１から７に記載のパットの照準器具の使用方法であって、以下は右利きのプレーヤーについての使用方法であるが、左利きの場合は左右を読み替えるものであり、
第一の使用方法は、プレーヤーはパッティンググリーン上でカップに向かって球の後ろに立ち、
支持体である左手の手袋あるいはリストバンドに取着されている照準紐を、右手でたるみなく直線になるよう引き出し、左手をプレーヤーの顔前の下、右手を顔前の上（上下逆も可）になるように構え、紐が１本に見えるように片目にて、パッティンググリーン上の球と、パットの線と、照準紐の３要素が重なるように体の位置を動かし、照準紐と重なって見えるパットの線上の芝の変色箇所やキズ箇所を目印として記憶したうえで、右手に持った照準紐を離してパットのアドレス位置に移動し、目印に向かってパットを行うという使用方法であり、
第二の使用方法は、プレーヤーは前かがみのパットの姿勢においてパッティンググリーン上の球の垂直線上に瞳孔を位置させ、
左手の支持体から、右手で照準紐をたるみなく直線になるように引き出し、左手を左前方すなわちカップ方向に向かって差し出し、パッティンググリーン上の球と、パットの線と、紐の３要素が重なるようにスタンスを調整するものであるが、
このとき、プレーヤーが両目の焦点を球に定めたとき、両目と照準紐が同一平面上に位置していないと照準紐が２本に見えるため、照準紐が１本に見えるようにスタンスを調整するものであり、
これらの動作ののちプレーヤーは、照準紐と重なって見えるパットの線上の芝の変色箇所やキズ箇所を目印として記憶し、この姿勢のまま頭と目線を動かさずに照準紐を右手から離し、次に記憶した目印に向かってパットを行うものであるが、
第一の使用方法と第二の使用方法は、単独で実行することが可能であり、また第一の使用方法を実行した後、第二の使用方法で確認と修正を行うことが可能であることを特徴とする請求項１から７に記載のパットの照準器具の使用方法。
【発明の詳細な説明】
【技術分野】
【０００１】  本発明は、ゴルフのパットにおいて球をプレーヤーが意図する方向に正確に転がすための、正規のラウウンドで使用できる照準器具およびその使用方法に関するものである。
【背景技術】
【０００２】  ゴルフにおいて、ラウンド中のパットの回数をいかに減少させることができるかということはスコアメイクの重要な課題である。そのために、過去様々な器具が発明されており、パタークラブの形状に関するものや、人工芝等による模擬グリーンや模擬カップなどとともに、球をイメージした方向に正確にストロークするための照準器具がある。この照準器具を大きく３分類すれば次のとおりである。【０００３】  第一分類として、パターのヘッド部分やシャフト部分に装着する照準器具である（例えば、特許文献１、特許文献２参照。）。
第二分類として、地面あるいは床面に設置する照準器具である（例えば、特許文献３参照。）。
第三分類として、プレーヤーの頭部に装着する照準器具である（例えば、特許文献４、特許文献５。）。【０００４】  これらの照準器具は、球にアドレスしたプレーヤーが照準手段である棒あるいは線に従って球を目的の方向に正確にパットする練習を繰り返すことでパットの感覚を養い、正規のラウンドで照準器具がなくとも正確なパットが行えるように訓練することを目的とした練習用具である。
【特許文献１】特開２００２−２０４８４６
【特許文献２】実開平６−５８１７３
【特許文献３】特開２００１−５４６０６
【特許文献４】実用新案登録第３０００８８８号
【特許文献５】実用新案登録第３０７３０２５号
【発明の開示】
【発明が解決しようとする課題】
【０００５】  本発明は、上記第一分類から第三分類の発明が有する課題を解決することを目的としたものである。【０００６】  第一課題。
上記第一分類から第三分類に示した照準器具は、そのいずれもパットのストローク前後を通して照準器具を装着あるいは設置した状態のままで使用するものであるが、これらは「プレーヤーの球がグリーン上にある場合、プレーヤーやパートナーまたはこれらのキャディは、ストローク中は許されないが、ストローク前であればパッティングラインを示すことができる。ただし、その際グリーン面に触れてはならない。パッティングラインを示すマークはどこにも置いてはならない。」とする財団法人日本ゴルフ協会が定めるゴルフ規則（以下、ゴルフ規則という。）に抵触するため、練習用具とはなっても正規のラウンド中に使用することはできないという点である。【０００７】  第二課題。
第一分類のパターのヘッド部分やシャフト部分に装着する照準器具については、「正規のラウンド中、クラブの性能は調節やその他の方法により故意に変更してはならない。」また「規則により特に許されている場合を除き、どのような物も外部に取り付けてはならない。」というゴルフ規則に抵触するため、練習用具とはなっても正規のラウンド中に使用することはできないという点である。【０００８】  第三課題。
第三分類のプレーヤーの頭部に装着する照準器具は、パットの照準を定めた後に頭部から取り外せばゴルフ規則に違反せず正規のラウンド中に使用することが可能であるが、競技中に取り外す作業は手間がかかり実用に向かず、また取り外した照準器具を帽子の庇下に格納する方法は、下を向いて行うパットでは同伴競技者から庇下は見えにくいため、照準器具を取り外したかの判定が困難であるためトラブルの原因となり歓迎されるものではない。【０００９】  第四課題。
第一分類から第三分類の発明には、それぞれ使用上の弱点があり、第一分類の照準器具をパタークラブに装着するタイプについてはパタークラブをスイングすると照準も動くため実用性に乏しいという点があり、第二分類の地面あるいは床面に据え置く照準器具については球をパットする度に球を元の照準器具の位置に置き直さなければならないという面倒な点があり、第三分類の頭部に装着する照準器具については、照準部品である棒あるいは線が眼球に近すぎるため足元の球との焦点深度の差が過大となり、球に焦点を当てると照準部品がぼやけ、逆に照準部品に焦点を当てると球がぼやけるため実用に向かないうえに、眼前あるいは眼前周辺の器具が煩わしく精神集中が必要なパットには好ましくないという点がある。【００１０】  第五課題。
第一分類から第三分類の発明に共通する使用方法は、プレーヤーの両目を横切る方向の照準部品に沿って目標に向けてパットを行うというものであるが、これは目標が定まっていることが前提となっている練習用具であり、目標の方向を定める機能は持ち合わせていない。
すなわち、練習により目標の方向に正確に球をパットできるようになったとしても、実際のパッティンググリーン上で正しい目標の方向が決定できなければパットの回数を減少させる効果は半減する。【００１１】  特に、正規のパッティンググリーンでは傾斜や芝目により、ストロークされた球は、始め直線に転がり、ある地点から左右に曲がる。多くのプレーヤーはパッティンググリーン上でどの地点から球が曲がり始めるかの照準確認動作として、カップに向かって球の後ろに立ち、パタークラブのシャフト部分を眼前に垂らして意図したパットの線と重なるようにしつつ、球が曲がり始めると思われる地点を模索する。すなわち、球が曲がり始める地点が目標の方向となる。
ただし、この目標地点はプレーヤーが位置を変えると見失う恐れがあるため目標地点に目印となる芝の変色個所やキズ個所を探している。また、球とこの目標地点の距離が遠い場合は目標地点の手前の意図したパットの線上に方向の目印となる芝の変色個所やキズ個所を探している。その後、アドレスをして目印に向かってパットを行う。これらがパットの一連の動作であるが、一連の動作をサポートする照準器具はこれまで存在しなかった。【００１２】  第六課題。
第一課題に述べたとおり、第一分類から第三分類に示した発明は照準器具であり、そのいずれもパタークラブをテイクバックしその後ストロークを終えるまでこの照準器具を装着あるいは設置した状態のままで使用するものである。練習時は照準器具を装着あるいは設置した状態のままで使用できても、正規のラウンドで照準器具が使用できないため練習の成果が発揮できなければ意味がない。練習時でもストローク前に照準器具を使用し、ストローク時点では照準器具がない状態であることが本当のパットの感覚を養い正規のラウンドで成果を発揮するのは自明の理である。【００１３】  本発明は、このような従来の発明が有していた課題を解決しようとするものであり、練習用はもちろん本番コースでのインプレー中に使用することができるパットの照準器具とその使用方法を提供するものである。
【課題を解決するための手段】
【００１４】  そして、本発明は上記課題を解決するために、以下の手段を提案するものである。【００１５】  第一の解決手段は、一本の伸縮自在の照準紐の一端に、支持体である手袋あるいはリストバンドに対して着脱自在の取着手段を設け、他端には摘みを設けたものである。【００１６】  第二の解決手段は、照準紐の伸縮自在の手段を自動巻き取り手段とするものであり、この自動巻き取り手段には支持体に対して着脱自在の取着手段を設けるものである。【００１７】  第三の解決手段は、支持体に対する取着手段をダブルクリップとし、レバー頭部に自動巻き取り手段を取着する構成としたものである。【００１８】  第四の解決手段は、支持体に対する取着手段をマジックテープとしたものである。【００１９】  第五の解決手段は、支持体に対する取着手段として、支持体内部に自動巻き取り手段格納袋を形成することにより支持体と一体構造としたものである。【００２０】  第六の解決手段は、着脱自在の取着手段に替えて、取着手段を固着し取り外し不可の構成としたものである。【００２１】  第七の解決手段は、摘みは、少なくとも表面が衝撃吸収材で被覆されているものである。【００２２】  第八の解決手段は、本発明のパットの照準器具の使用方法であって、以下は右利きのプレーヤーについての使用方法であるが、左利きの場合は左右を読み替えるものである。【００２３】  第一の使用方法は、プレーヤーはパッティンググリーン上でカップに向かって球の後ろに立ち、支持体である左手の手袋あるいはリストバンドに取着されている照準紐を、右手でたるみなく直線になるよう引き出し、左手をプレーヤーの顔前の下、右手を顔前の上（上下逆も可）になるように構え、紐が１本に見えるように片目にて、パッティンググリーン上の球と、パットの線と、照準紐の３要素が重なるように体の位置を動かし、照準紐と重なって見えるパットの線上の芝の変色箇所やキズ箇所を目印として記憶したうえで、右手に持った照準紐を離してパットのアドレス位置に移動し、目印に向かってパットを行うという使用方法である。【００２４】  第二の使用方法は、プレーヤーは前かがみのパットの姿勢においてパッティンググリーン上の球の垂直線上に瞳孔を位置させ、
左手の支持体から、右手で照準紐をたるみなく直線になるように引き出し、左手を左前方すなわちカップ方向に向かって差し出し、パッティンググリーン上の球と、パットの線と、紐の３要素が重なるようにスタンスを調整するものである。【００２５】  このとき、プレーヤーが両目の焦点を球に定めたとき、両目と照準紐が同一平面上に位置していないと照準紐が２本に見えるため、照準紐が１本に見えるようにスタンスを調整する。【００２６】  これらの動作ののちプレーヤーは、照準紐と重なって見えるパットの線上の芝の変色箇所やキズ箇所を目印として記憶し、この姿勢のまま頭と目線を動かさずに照準紐を右手から離し、次に記憶した目印に向かってパットを行うものである。
第一の使用方法と第二の使用方法は、単独で実行することが可能であり、また第一の使用方法を実行した後、第二の使用方法で確認と修正を行うことが可能である。
【発明の効果】
【００２７】  本発明により、上段の「発明が解決しようとした課題」に記載した課題は次のとおり解決する。【００２８】  第一課題については、本発明のパットの照準器具とその使用方法は、照準紐の部分がパットの線を示すマークに相当するが、パッティングストロークの時点では、紐は巻き取られているためマークは存在しないこととなり、「プレーヤーの球がグリーン上にある場合、プレーヤーやパートナーまたはこれらのキャディは、ストローク中は許されないが、ストローク前であればパッティングラインを示すことができる。ただし、その際グリーン面に触れてはならない。
パッティングラインを示すマークはどこにも置いてはならない。」とする財団法人日本ゴルフ協会が定めるゴルフ規則に則るため正規のラウンド中に使用することができる。【００２９】  第二課題については、本発明はゴルファーの手袋またはリストバンドに装着されるものであるため、「どのような物もクラブの外部に取り付けてはならない」とする財団法人日本ゴルフ協会が定めるゴルフ規則に則るため正規のラウンド中に使用することができる。【００３０】  第三課題については、本発明は右手で引っ張っている照準紐を右手から離すだけで、縮み機能により照準紐は支持体に引き寄せられるため、照準器具を取り外す手間が不要である。また、照準部品がプレーヤーの視界内に照準紐がないことが明らかであるので、同伴者とのトラブルとなる原因にはならない。【００３１】  また、第四課題については、パタークラブをスイングすることで照準が動くことはなく、また照準器具が手に取着しておりプレーヤーの身体とともに移動するため球の位置を選ぶものではなく、また照準紐はプレーヤーの眼球から離れているため球と照準紐の焦点深度が浅く、球に焦点を定める場合でも照準紐を明瞭に確認することが容易である。また、ストロークするときは眼前あるいは眼前周辺に器具がないため精神集中が可能となる。【００３２】  第五課題については、プレーヤーの両目を横切る方向の照準に加えて、プレーヤーがカップに向かって球の後ろに立った場合にプレーヤーの正面方向の照準を行い、容易にパットの方向と目印の選定を行うことができる。【００３３】  第六課題については、本発明は練習時においても正規のラウンド中であっても使用方法は同じであり、照準紐によりストローク前にパットの線と目印をじっくりと確認し、ストローク時には物質としての照準紐は存在しないが、照準紐のイメージと目印を頼りにパットを行うものである。練習時でもストロークの時点で照準器具を使用しないため、パットの方向感覚が養われ、正規のラウンドで成果を発揮することができる。
【発明を実施するための最良の形態】
【００３４】  以下、本発明の実施の形態を、実施例１を図１〜図２に基づいて、実施例２を図３〜図５に基づいて、本発明の使用方法を図６〜図９に基づいて、その他の実施例を図１０〜図１３に基づいて説明する。【００３５】  実施例１は、パットの照準器具とゴルフ用手袋が一体に形成される発明である。
図１の斜視図は、手袋４の甲の部分が締め付けベルト２とマジックテープ５による締め付け式となっているゴルフ用手袋であり、締め付けベルト２が開いている締め付け前の状態を表している。
締め付けベルト２は袋体であり、内部に紐１の自動巻き取り手段が格納されている。当図は、摘み３により紐１を若干引き出した状態を表している。【００３６】  図２は、図１の手袋の断面図である。締め付けベルト２の袋内には自動巻き取り手段７が格納されているが、袋の開口部６はマジックテープによる開閉式であるため自動巻き取り手段の取り出しが可能である。自動巻き取り手段７は、巻き取り付勢バネ８と回転ドラム９による簡易な構造であり、袋の一部には切れ込み部１０があり、ここから引っ張り手段である摘み３と紐１を袋外に出すことができる。
紐１の摘み３側には留め金１１が固着されており、この留め金１１を衝撃緩衝材など柔らかな材料で包む。これは、摘み易さとともに、紐１が自動巻き取り手段７に引き込まれる時に留め金１１が身体に当たり怪我をしないための対策である。【００３７】  なお、紐１は直径１ミリメートル前後が実用的であるがこれを制限するものではなく、均等な太さであり、長さは６０センチメートルから７０センチメートル前後あれば使用の目的に適うがこれを制限するものではない。【００３８】  実施例２は市販の一般的なゴルフ用手袋を支持体としてパットの照準器具を着脱自在に取り付ける発明である。実施例２を、図３から図５に基づいて説明する。【００３９】  図３は実施例２の斜視図であり、図中のゴルフ用手袋４は実施例２の支持体である。
ダブルクリップ本体１２に枢設されたレバー１３の頭部は正円であり、この頭部と自動巻き取り手段７は、自動巻き取り手段７に凸設されたリール状突起（図４の１４、図５の１４）を軸として回動自在に軸着されている。
自動巻き取り手段７の構造、紐１、引き出し手段である摘み３は、実施例１と同様である。
なお、自動巻き取り手段を回動自在としたのは、照準器具を左右どちらの手袋に取着した場合でも、照準紐１の引き出しを容易にする目的であって、回動しない固定式とすることも可能である。【００４０】  本実施例の特徴は、ダブルクリップは着脱が容易であること、装着時にレバーをたためば自動巻き取り手段７をレバーの長さだけ指先に近づけることができ使用し易くなること、挟着力が他の構造のクリップと比較し強力であるためティーショットやフェアウェイショットなどの強力なスイング時の遠心力や衝撃にたいして脱落しにくいことである。【００４１】  次に、本発明の使用方法について、図６〜図８に基づいて説明する。
本発明はパットの精度を向上させる照準器具の使用方法であって、以下は右利きのプレーヤーについての使用方法であるが、左利きの場合は左右を読み替えるものである。【００４２】  第一の使用方法を図６に基づいて説明すると、
プレーヤーはパッティンググリーン上でカップ２１に向かって球２０の後ろに立ち、左手の手袋４に装着している自動巻き取り手段７から、右手２２で照準紐１をたるみなく直線になるよう引き出し、左手をプレーヤーの顔前の下、右手を顔前の上（上下逆も可）になるように構え、照準紐が１本に見えるように片目にて、パッティンググリーン上の球２０と、プレーヤーがイメージするパッティングライン１５ａと、照準紐１の３要素が重なるように体の位置を動かし、紐と重なって見えるパッティングライン１５ａ上の芝の変色箇所あるいはキズ箇所を目印１６ａとして記憶したうえで、照準紐１を巻き取り手段７に格納してパットの位置に移動し、目印１６ａの方向にパットを行うという使用方法である。【００４３】  なお、パッティングライン１５ａ上に目印となるものが無い場合は、パッティングライン１５ａ付近にある芝の変色個所あるいはキズ個所あるいは落ち葉あるいは同伴競技者の球のマーク等を参考目印１６ｂとする。【００４４】  また、この使用方法は、ティーショットやフェアウェイショットにおいてもプレーの方向の確認に利用可能である。【００４５】  第二の使用方法を図７，図８、図９に基づいて説明する。
プレーヤーはパッティンググリーン上の球２０の位置で、前かがみのパットの姿勢において球２０の垂直線上に瞳孔を位置させ、
左手の巻き取り手段７から、右手で照準紐１をたるみなく直線になるよう引き出し、左手を左前方すなわちカップ２１方向に向かって差し出し、パッティンググリーン上の球２０と、プレーヤーがイメージするパッティングライン１５ａと、照準紐１の３要素が重なって見えるようにスタンスを調整する。【００４６】  このとき、プレーヤーが両目の焦点を球２０に定めたとき、両目が上記３要素と同一平面上（図８の１９）に位置していないと照準紐１が２本（図９の１）に見えるため、照準紐１が１本に見えるようにスタンスならびに目の位置を調整する。【００４７】  照準紐が２本に見えるということは、左右の目が別々のパッティングラインを見ていることを意味し、パットの失敗の大きな原因となる。【００４８】  これらの動作ののちプレーヤーは、紐１と重なって見えるパッティングライン１５ａ上の芝の変色箇所やキズ箇所を目印１６ａとして記憶し、この姿勢のまま頭と目線を動かさずに照準紐１を巻き取り手段７に格納し、次に記憶した目印１６ａに向かってパッティングストロークを行うものである。【００４９】  なお、パッティングライン１５ａ上に目印となるものが無い場合は、パッティングライン１５ａ付近にある芝の変色個所あるいはキズ個所あるいは落ち葉あるいは他の競技者の球のマーク等を参考目印１６ｂとするのは、第一の使用方法と同様である。【００５０】  また、第一の使用方法と第二の使用方法は、単独で実行することが可能であり、また第一の使用方法を実行した後、第二の使用方法で目印１５ａの確認と修正を行うことが可能であることを特徴とするパットの照準器具の使用方法である。
【他の実施形態】
【００５１】  実施例３を、図１０に基づいて説明する。
図１０は、実施例３の斜視図である。照準紐２３はゴム紐であり、その一端にはマジックテープの雄面雌面を裏面どうし張り合わせた取着手段２４が固着されており、他端にはマジックテープ雄面あるいは雌面のうち手袋の締め付けベルト側のマジックテープと同面が貼着された摘み２５が固着されている。
【００５２】  使用時には、手袋の甲と締め付けベルトのマジックテープ５の間に取着手段２４をサンドイッチ状に挟むが、この時、取着手段２４の一部を締め付けベルトからはみ出すように取り付ける。照準紐２３の不使用時には、摘み２６をこのはみ出した部分に付着させることにより照準紐１を見栄え良く整理することができる。
【００５３】  照準紐２３は縮んだ状態で１０センチメートルから１５センチメートル程度の長さであり引っ張り伸ばした状態で３０センチメートルから５０センチメートル程度の長さが実用的であるが、長さの制限をするものではない。
【００５４】  本実施例は、自動巻き取り手段に替えて、ゴム紐を使用するものであり、本発明の使用方法に相違はない。自動巻き取り手段に比べると、重量は軽く、また製造コストも安価となる。ただし、露出した紐は目障りであること、またゴム紐は切れやすいという欠点もある。
【００５５】  実施例４は市販の一般的なゴルフ用手袋を支持体としてパットの照準器具を着脱自在に取り付ける発明である。実施例４を、図１１、図１２に基づいて説明する。図１１は実施例４の斜視図であり、図１２は手袋の甲の部分の断面図である。
【００５６】  自動巻き取り手段７の外観は円盤であり、円盤の表面にはマジクテープの雄面が、円盤の裏面にはマジックテープの雌面が貼着されている。
この表裏面のマジックテープにより、自動巻き取り手段７は手袋４の甲に設けられているマジックテープと締め付けベルト２に設けられているマジックテープとにサンドイッチ状態に挟まれると固く持着した状態となり、ゴルフのスウィングによる強い遠心力にも自動巻き取り手段が外れることがない。また、クリップ等の取り付け手段に比べて構造が簡単であり器具全体の厚みを抑えることができる。
【００５７】  以上、器具の実施例４件ならびに器具の使用方法の実施例を説明した。
上記実施例は器具の支持体がいずれも手袋であるが、図１３に例示するとおり手袋以外にも、時計、腕輪、汗拭きリストバンド等、手首の装身具を支持体とすることが可能である。
【００５８】  また、上記実施例は支持体に対して着脱自在としている。これは、本発明の照準器具の耐久性が支持体の耐久性より長いため新しい支持体に付け替えることができることや、複数の支持体を保有している場合に自由に付け替えができることを目的としているが、照準紐の一端あるいは自動巻き取り手段を支持体に固着し取り外し不可とすることにより、支持体とともに使い捨てる仕様とすることも可能である。
【００５９】  また、支持体となる手袋もリストバンドも着用しないプレーヤーの場合には、上記実施例と比較し相当不便にはなるが、自動巻き取り手段をネックレス状に首から下げる、あるいは腰ベルトに取着する方法でも、本発明の使用方法に近い効果を得ることができる。
【００６０】  また、本発明はゴルフのパットに類似したスポーツであるゲートボールにおいても同様の効果を得ることができるものである。
【図面の簡単な説明】
【００６１】
【図１】実施例１の照準器具と支持体を示す斜視図
【図２】実施例１の照準器具と支持体の図１におけるＡ−Ａ線断面図
【図３】実施例２の照準器具と支持体を示す斜視図
【図４】実施例２の照準器具の正面部分断面図
【図５】実施例２の照準器具の側面部分断面図
【図６】第一の使用方法の説明図
【図７】第二の使用方法の説明図（１）
【図８】第二の使用方法の説明図（２）
【図９】第二の使用方法の説明図（３）
【図１０】実施例３の照準器具と支持体を示す斜視図
【図１１】実施例４の照準器具と支持体を示す斜視図
【図１２】実施例４の照準器具と支持体の図１１におけるＢ−Ｂ線断面図
【図１３】リストバンドを支持体とする照準器具の斜視図
【符号の説明】
【００６２】１    照準紐
２    手袋の締め付けベルト
３    引き出し手段
４    手袋
５    マジックテープ
６    マジックテープ（締め付けベルト２の袋開口部分）
７    自動巻き取り手段
８    巻き取り付勢バネ
９    回転ドラム
１０  締め付けベルト２の袋体の切れ込み部
１１  照準紐１の留め金
１２  ダブルクリップ本体
１３  ダブルクリップレバー
１４  自動巻き取り手段７に凸設されたリール状突起
１５ａ  パッティングライン（プレーヤーがパッティンググリーン上でストロークしたあと球にとらせたい線のうち球が曲がり始めるまでの直線区間）
１５ｂ  パッティングライン（プレーヤーがパッティンググリーン上でストロークしたあと球にとらせたい線のうち球の曲がり始め以降の区間）
１６ａ  パッティングライン１５ａ上の目印となる芝の変色個所あるいはキズ個所
１６ｂ  パッティングライン１５ａ上には無いがパットの参考となる芝の変色個所あるいはキズ個所あるいは落ち葉あるいは同伴競技者の球のマーク等
１９  両目と照準紐１とパッティングライン１６ａのすべてを含む平面
２０  球
２１  カップ
２２  手（パットの照準器具を装着している反対側）
２３  照準紐（ゴム）
２４  取着手段（片面がマジックテープ雄面、他面が雌面）
２５  マジックテープ付き摘み
２６  リストバンド（時計、腕輪、その他手首に装着する支持体の総称）
【図１】
2005058691.tif 000003
【図２】
2005058691.tif 000004
【図３】
2005058691.tif 000005
【図４】
2005058691.tif 000006
【図５】
2005058691.tif 000007
【図６】
2005058691.tif 000008
【図７】
2005058691.tif 000009
【図８】
2005058691.tif 000010
【図９】
2005058691.tif 000011
【図１０】
2005058691.tif 000012
【図１１】
2005058691.tif 000013
【図１２】
2005058691.tif 000014
【図１３】
2005058691.tif 000015